(57)【要約】【課題】本発明は、離れた場所や隔離された場所の環境情報を触覚刺激として伝達して再生する環境情報取得再生システム、この環境情報取得再生システムを利用したテレビ会議システム、乗り物、衣類及び遠隔操作システムに関する。【解決手段】環境情報取得再生システム１は、計測部１１で取得した環境情報取得場所１０の環境情報のうち少なくとも１つの環境情報を、環境情報再生場所２０で刺激部２２によって受信者３０の人体に対して与える触覚刺激として再生・付与する。したがって、観測者である受信者３０が集中すべき作業を妨げず、集中すべき作業に必要な情報を補う環境情報の伝達を適切かつ確実に行うことができる。【選択図】          図１
2006191460.tif 000002
【特許請求の範囲】
【請求項１】
所定の環境情報取得場所の環境情報を環境情報取得手段で取得し、当該環境情報取得手段の取得した環境情報を、前記環境情報取得場所とは異なる環境情報再生場所または前記環境情報取得場所と略同じ場所である環境情報再生場所で刺激手段によって再生する環境情報取得再生システムであって、前記刺激手段は、前記環境情報取得手段からの環境情報のうち少なくとも１つの環境情報を人体に対して与える触覚刺激として再生することを特徴とする環境情報取得再生システム。
【請求項２】
前記刺激手段は、前記再生する触覚刺激を前記環境情報の状態と関連させて変化させることを特徴とする請求項１記載の環境情報取得再生システム。
【請求項３】
前記刺激手段は、前記触覚刺激の前記人体に与える部位を、前記環境情報の状態と関連させて変化させることを特徴とする請求項１または請求項２記載の環境情報取得再生システム。
【請求項４】
前記刺激手段は、前記触覚刺激を非接触の状態で前記人体に与えることを特徴とする請求項１から請求項３のいずれかに記載の環境情報取得再生システム。
【請求項５】
前記刺激手段は、電界を利用して前記触覚刺激を前記人体に与えることを特徴とする請求項１から請求項４のいずれかに記載の環境情報取得再生システム。
【請求項６】
前記刺激手段は、電界分布を利用して前記触覚刺激を前記人体に与えることを特徴とする請求項１から請求項４のいずれかに記載の環境情報取得再生システム。
【請求項７】
前記刺激手段は、熱放射を利用して前記触覚刺激を前記人体に与えることを特徴とする請求項１から請求項４のいずれかに記載の環境情報取得再生システム。
【請求項８】
前記刺激手段は、前記熱放射を行う熱源の分布を変化させて前記人体に与える触覚刺激の部位を変化させることを特徴とする請求項７記載の環境情報取得再生システム。
【請求項９】
前記刺激手段は、流体の流れを利用して前記触覚刺激を前記人体に与えることを特徴とする請求項１から請求項４のいずれかに記載の環境情報取得再生システム。
【請求項１０】
前記刺激手段は、前記流体の流れ方向を変化させて前記人体に与える触覚刺激の部位を変化させることを特徴とする請求項９記載の環境情報取得再生システム。
【請求項１１】
前記刺激手段は、音圧を利用して前記触覚刺激を前記人体に与えることを特徴とする請求項１から請求項４のいずれかに記載の環境情報取得再生システム。
【請求項１２】
前記刺激手段は、前記音源分布を変化させて前記人体に与える触覚刺激の部位を変化させることを特徴とする請求項１１記載の環境情報取得再生システム。
【請求項１３】
前記環境情報取得再生システムは、前記環境情報として映像情報を含んでいることを特徴とする請求項１から請求項１２のいずれかに記載の環境情報取得再生システム。
【請求項１４】
前記環境情報取得再生システムは、前記環境情報として音情報を含んでいることを特徴とする請求項１から請求項１３のいずれかに記載の環境情報取得再生システム。
【請求項１５】
前記環境情報取得再生システムは、前記環境情報として温度情報を含んでいることを特徴とする請求項１から請求項１４のいずれかに記載の環境情報取得再生システム。
【請求項１６】
前記環境情報取得再生システムは、前記環境情報として湿度情報を含んでいることを特徴とする請求項１から請求項１５のいずれかに記載の環境情報取得再生システム。
【請求項１７】
前記環境情報取得再生システムは、前記環境情報として風速情報を含んでいることを特徴とする請求項１から請求項１６のいずれかに記載の環境情報取得再生システム。
【請求項１８】
前記環境情報取得再生システムは、前記環境情報として風向情報を含んでいることを特徴とする請求項１から請求項１７のいずれかに記載の環境情報取得再生システム。
【請求項１９】
前記環境情報取得再生システムは、前記環境情報として加速度情報を含んでいることを特徴とする請求項１から請求項１８のいずれかに記載の環境情報取得再生システム。
【請求項２０】
前記環境情報取得再生システムは、前記環境情報として重力加速度情報を含んでいることを特徴とする請求項１から請求項１９のいずれかに記載の環境情報取得再生システム。
【請求項２１】
前記環境情報取得再生システムは、前記環境情報として磁界情報を含んでいることを特徴とする請求項１から請求項２０のいずれかに記載の環境情報取得再生システム。
【請求項２２】
前記環境情報取得再生システムは、前記環境情報として電界情報を含んでいることを特徴とする請求項１から請求項２１のいずれかに記載の環境情報取得再生システム。
【請求項２３】
前記環境情報取得再生システムは、前記環境情報として電磁波情報を含んでいることを特徴とする請求項１から請求項２２のいずれかに記載の環境情報取得再生システム。
【請求項２４】
前記環境情報取得再生システムは、前記環境情報として赤外線情報を含んでいることを特徴とする請求項１から請求項２３のいずれかに記載の環境情報取得再生システム。
【請求項２５】
前記環境情報取得再生システムは、前記環境情報として紫外線情報を含んでいることを特徴とする請求項１から請求項２４のいずれかに記載の環境情報取得再生システム。
【請求項２６】
前記環境情報取得再生システムは、前記環境情報として振動情報を含んでいることを特徴とする請求項１から請求項２５のいずれかに記載の環境情報取得再生システム。
【請求項２７】
前記環境情報取得再生システムは、前記環境情報として勾配情報を含んでいることを特徴とする請求項１から請求項２８のいずれかに記載の環境情報取得再生システム。
【請求項２８】
前記環境情報取得再生システムは、前記環境情報として高度情報を含んでいることを特徴とする請求項１から請求項２７のいずれかに記載の環境情報取得再生システム。
【請求項２９】
前記環境情報取得再生システムは、前記環境情報として圧力情報を含んでいることを特徴とする請求項１から請求項２８のいずれかに記載の環境情報取得再生システム。
【請求項３０】
前記環境情報取得再生システムは、前記環境情報として気圧情報を含んでいることを特徴とする請求項１から請求項２９のいずれかに記載の環境情報取得再生システム。
【請求項３１】
前記環境情報取得再生システムは、前記環境情報として位置情報を含んでいることを特徴とする請求項１から請求項３０のいずれかに記載の環境情報取得再生システム。
【請求項３２】
前記環境情報取得再生システムは、前記環境情報としてイオン濃度情報を含んでいることを特徴とする請求項１から請求項３１のいずれかに記載の環境情報取得再生システム。
【請求項３３】
前記環境情報取得再生システムは、前記環境情報として分子濃度情報を含んでいることを特徴とする請求項１から請求項３２のいずれかに記載の環境情報取得再生システム。
【請求項３４】
前記環境情報取得再生システムは、前記環境情報として超音波情報を含んでいることを特徴とする請求項１から請求項３３のいずれかに記載の環境情報取得再生システム。
【請求項３５】
前記環境情報取得再生システムは、前記環境情報として超低周波音情報を含んでいることを特徴とする請求項１から請求項１４のいずれかに記載の環境情報取得再生システム。
【請求項３６】
前記環境情報取得再生システムは、前記環境情報として放射線強度情報を含んでいることを特徴とする請求項１から請求項３５のいずれかに記載の環境情報取得再生システム。
【請求項３７】
前記環境情報取得再生システムは、前記環境情報として、同種類の前記環境情報取得手段の位置情報または当該環境情報取得手段の取得する環境情報の当該環境情報取得手段への到来方向情報を含んでいることを特徴とする請求項１から請求項３６のいずれかに記載の環境情報取得再生システム。
【請求項３８】
複数のテレビ会議場で映像と音声を双方向にやりとりして出席者同士の会議を可能とするとともに、前記各テレビ会議場は、環境情報取得場所として当該テレビ会議場の環境情報を環境情報取得手段で取得して他のテレビ会議場に伝達するとともに、他のテレビ会場で取得されて伝達されてくる環境情報を刺激手段で再生する環境情報取得再生システムを備えたテレビ会議システムであって、前記環境情報取得再生システムとして、請求項１から請求項３７のいずれかに記載の環境情報再生システムを備えていることを特徴とするテレビ会議システム。
【請求項３９】
人体が搭乗可能で、所定の環境情報取得場所の環境情報を環境情報取得手段で取得し、当該環境情報取得手段の取得した環境情報を、前記人体の近傍の環境情報再生場所で刺激手段によって再生する環境情報取得再生システムを搭載する乗り物であって、前記環境情報取得再生システムとして、請求項１から請求項３７のいずれかに記載の環境情報再生システムを搭載していることを特徴とする乗り物。
【請求項４０】
人体に対して装着可能で、所定の環境情報取得場所の環境情報を環境情報取得手段で取得し、当該環境情報取得手段の取得した環境情報を、前記人体の近傍の環境情報再生場所で刺激手段によって再生する環境情報取得再生システムを備えた衣類であって、前記環境情報取得再生システムとして、請求項１から請求項３７のいずれかに記載の環境情報再生システムを備えていることを特徴とする衣類。
【請求項４１】
操作者が操作することで、遠隔地の操作対象物を操作するとともに、当該操作対象物近傍を環境情報取得場所として当該環境情報取得場所の環境情報を環境情報取得手段で取得し、当該環境情報取得手段の取得した環境情報を、前記操作者の近傍の環境情報再生場所で刺激手段によって再生する環境情報取得再生システムを備えた遠隔操作システムであって、前記環境情報取得再生システムとして、請求項１から請求項３７のいずれかに記載の環境情報再生システムを備えていることを特徴とする遠隔操作システム。
【発明の詳細な説明】
【技術分野】
【０００１】
本発明は、環境情報取得再生システム、テレビ会議システム、乗り物、衣類及び遠隔操作システムに関し、詳細には、離れた場所や隔離された場所の環境情報を触覚刺激として伝達して再生する環境情報取得再生システム、この環境情報取得再生システムを利用したテレビ会議システム、乗り物、衣類及び遠隔操作システムに関する。
【背景技術】
【０００２】
従来から所定の場所で取得した環境情報である画像や音声を遠隔の受信地点に伝送して、当該受信地点で再生するシステムがある（特許文献１参照）。
【０００３】
このような従来のシステムは、遠隔地の状況を視覚と聴覚によって観測者に伝えることが主目的であり、例えば、従来のテレビ会議システムでは、一方の相手方の会議室の状況や会議参加者の姿及び音声をカメラとマイクで取得して、遠隔の他方の相手方の会議室に伝送して当該他方の会議室のモニタテレビに映像として再生し、また、スピーカにより音声として再生する。また、建造物への侵入者や不審者を監視する従来のセキュリティシステムでは、建物の周辺や建物内部の様子（環境情報）を撮影したカメラの映像を監視室のモニタへ映し出すことでセキュリティ環境情報を観察者に伝え、さらに、乗り物の周辺状況を警告するシステムでは、レーダ等により乗り物の周辺の障害物の有無を検知して、検知した障害物が乗り物に危険な位置にあると、障害物があることを光や音により運転者に伝えている。
【０００４】
例えば、従来、走行中の車両の道路環境、障害物の有無等を検出し、例えば、道路状況や運転状況等に応じて事故の起こり易い領域を、車両前方を監視する装置を用いて監視して、危険状況を予測し、危険の有無を警報として警報出力装置から運転者に報知する危険状況警報装置が提案されている（特許文献２参照）。この従来技術では、警報出力装置として、ヘッドアップディスプレイを用いて、映像と音声によって警報を報知出力している。
【０００５】
【特許文献１】特開平５−１５９１９０号公報
【特許文献２】特許第３２１４１２２号公報
【発明の開示】
【発明が解決しようとする課題】
【０００６】
しかしながら、上記従来技術にあっては、環境情報を映像と音声によって伝達しているため、環境情報をより一層適切かつ確実に伝達・再生する上で、改良の必要があった。
【０００７】
すなわち、視覚や聴覚への刺激として観測者に情報を伝える方法は、観測者の注意を引き付ける方法として確実性は高いが、一度に多くの情報が視覚や聴覚への刺激として与えられると、観測者はその情報を処理できなくなり、情報伝達再生の効果を適切に発揮させることができない。例えば、視覚や聴覚への刺激による報知方法を用いたセキュリティシステムの場合、監視場所が数箇所のときには、その監視場所に同時に侵入者が現れても、観測者が視覚や聴覚への刺激による報知方法によってそれを認識することはできるが、監視場所が数十箇所になると、視覚や聴覚への刺激による報知方法によって観測者が全ての状況を同時に認識することは難しい。また、特許文献２記載の危険状況警報装置では、ヘッドアップディスプレイを用いて、映像と音声によって警報を報知出力しているしているため、乗り物の運転中に周辺状況の警告が、運転者の視覚や聴覚の注意を奪ってしまい、本来の運転作業への意識の集中を妨げ、より危険な状況を招くおそれがあった。
【０００８】
そこで、本発明は、観測者が集中すべき作業を妨げず、集中すべき作業に必要な情報を補う環境情報の伝達を適切かつ確実に行う環境情報取得再生システム、テレビ会議システム、乗り物、衣類及び遠隔操作システムを提供することを目的としている。
【課題を解決するための手段】
【０００９】
請求項１記載の発明の環境情報取得再生システムは、所定の環境情報取得場所の環境情報を環境情報取得手段で取得し、当該環境情報取得手段の取得した環境情報を、前記環境情報取得場所とは異なる環境情報再生場所または前記環境情報取得場所と略同じ場所である環境情報再生場所で刺激手段によって再生する環境情報取得再生システムであって、前記刺激手段は、前記環境情報取得手段からの環境情報のうち少なくとも１つの環境情報を人体に対して与える触覚刺激として再生することにより、上記目的を達成している。
【００１０】
この場合、例えば、請求項２に記載するように、前記刺激手段は、前記再生する触覚刺激を前記環境情報の状態と関連させて変化させるものであってもよい。
【００１１】
また、例えば、請求項３に記載するように、前記刺激手段は、前記触覚刺激の前記人体に与える部位を、前記環境情報の状態と関連させて変化させるものであってもよい。
【００１２】
さらに、例えば、請求項４に記載するように、前記刺激手段は、前記触覚刺激を非接触の状態で前記人体に与えるものであってもよい。
【００１３】
また、例えば、請求項５に記載するように、前記刺激手段は、電界を利用して前記触覚刺激を前記人体に与えるものであってもよい。
【００１４】
さらに、例えば、請求項６に記載するように、前記刺激手段は、電界分布を利用して前記触覚刺激を前記人体に与えるものであってもよい。
【００１５】
また、例えば、請求項７に記載するように、前記刺激手段は、熱放射を利用して前記触覚刺激を前記人体に与えるものであってもよい。
【００１６】
さらに、例えば、請求項８に記載するように、前記刺激手段は、前記熱放射を行う熱源の分布を変化させて前記人体に与える触覚刺激の部位を変化させるものであってもよい。
【００１７】
また、例えば、請求項９に記載するように、前記刺激手段は、流体の流れを利用して前記触覚刺激を前記人体に与えるものであってもよい。
【００１８】
さらに、例えば、請求項１０に記載するように、前記刺激手段は、前記流体の流れ方向を変化させて前記人体に与える触覚刺激の部位を変化させるものであってもよい。
【００１９】
また、例えば、請求項１１に記載するように、前記刺激手段は、音圧を利用して前記触覚刺激を前記人体に与えるものであってもよい。
【００２０】
さらに、例えば、請求項１２に記載するように、前記刺激手段は、前記音源分布を変化させて前記人体に与える触覚刺激の部位を変化させるものであってもよい。
【００２１】
また、例えば、請求項１３に記載するように、前記環境情報取得再生システムは、前記環境情報として映像情報を含んでいてもよい。
【００２２】
さらに、例えば、請求項１４に記載するように、前記環境情報取得再生システムは、前記環境情報として音情報を含んでいてもよい。
【００２３】
また、例えば、請求項１５に記載するように、前記環境情報取得再生システムは、前記環境情報として温度情報を含んでいてもよい。
【００２４】
さらに、例えば、請求項１６に記載するように、前記環境情報取得再生システムは、前記環境情報として湿度情報を含んでいてもよい。
【００２５】
また、例えば、請求項１７に記載するように、前記環境情報取得再生システムは、前記環境情報として風速情報を含んでいてもよい。
【００２６】
さらに、例えば、請求項１８に記載するように、前記環境情報取得再生システムは、前記環境情報として風向情報を含んでいてもよい。
【００２７】
また、例えば、請求項１９に記載するように、前記環境情報取得再生システムは、前記環境情報として加速度情報を含んでいてもよい。
【００２８】
さらに、例えば、請求項２０に記載するように、前記環境情報取得再生システムは、前記環境情報として重力加速度情報を含んでいてもよい。
【００２９】
また、例えば、請求項２１に記載するように、前記環境情報取得再生システムは、前記環境情報として磁界情報を含んでいてもよい。
【００３０】
さらに、例えば、請求項２２に記載するように、前記環境情報取得再生システムは、前記環境情報として電界情報を含んでいてもよい。
【００３１】
また、例えば、請求項２３に記載するように、前記環境情報取得再生システムは、前記環境情報として電磁波情報を含んでいてもよい。
【００３２】
さらに、例えば、請求項２４に記載するように、前記環境情報取得再生システムは、前記環境情報として赤外線情報を含んでいてもよい。
【００３３】
また、例えば、請求項２５に記載するように、前記環境情報取得再生システムは、前記環境情報として紫外線情報を含んでいてもよい。
【００３４】
さらに、例えば、請求項２６に記載するように、前記環境情報取得再生システムは、前記環境情報として振動情報を含んでいてもよい。
【００３５】
また、例えば、請求項２７に記載するように、前記環境情報取得再生システムは、前記環境情報として勾配情報を含んでいてもよい。
【００３６】
さらに、例えば、請求項２８に記載するように、前記環境情報取得再生システムは、前記環境情報として高度情報を含んでいてもよい。
【００３７】
また、例えば、請求項２９に記載するように、前記環境情報取得再生システムは、前記環境情報として圧力情報を含んでいてもよい。
【００３８】
さらに、例えば、請求項３０に記載するように、前記環境情報取得再生システムは、前記環境情報として気圧情報を含んでいてもよい。
【００３９】
また、例えば、請求項３１に記載するように、前記環境情報取得再生システムは、前記環境情報として位置情報を含んでいてもよい。
【００４０】
さらに、例えば、請求項３２に記載するように、前記環境情報取得再生システムは、前記環境情報としてイオン濃度情報を含んでいてもよい。
【００４１】
また、例えば、請求項３３に記載するように、前記環境情報取得再生システムは、前記環境情報として分子濃度情報を含んでいてもよい。
【００４２】
さらに、例えば、請求項３４に記載するように、前記環境情報取得再生システムは、前記環境情報として超音波情報を含んでいてもよい。
【００４３】
また、例えば、請求項３５に記載するように、前記環境情報取得再生システムは、前記環境情報として超低周波音情報を含んでいてもよい。
【００４４】
さらに、例えば、請求項３６に記載するように、前記環境情報取得再生システムは、前記環境情報として放射線強度情報を含んでいてもよい。
【００４５】
また、例えば、請求項３７に記載するように、前記環境情報取得再生システムは、前記環境情報として、同種類の前記環境情報取得手段の位置情報または当該環境情報取得手段の取得する環境情報の当該環境情報取得手段への到来方向情報を含んでいてもよい。
【００４６】
請求項３８記載の発明のテレビ会議システムは、複数のテレビ会議場で映像と音声を双方向にやりとりして出席者同士の会議を可能とするとともに、前記各テレビ会議場は、環境情報取得場所として当該テレビ会議場の環境情報を環境情報取得手段で取得して他のテレビ会議場に伝達するとともに、他のテレビ会場で取得されて伝達されてくる環境情報を刺激手段で再生する環境情報取得再生システムを備えたテレビ会議システムであって、前記環境情報取得再生システムとして、請求項１から請求項３７のいずれかに記載の環境情報再生システムを備えていることにより、上記目的を達成している。
【００４７】
請求項３９記載の発明の乗り物は、人体が搭乗可能で、所定の環境情報取得場所の環境情報を環境情報取得手段で取得し、当該環境情報取得手段の取得した環境情報を、前記人体の近傍の環境情報再生場所で刺激手段によって再生する環境情報取得再生システムを搭載する乗り物であって、前記環境情報取得再生システムとして、請求項１から請求項３７のいずれかに記載の環境情報再生システムを搭載していることにより、上記目的を達成している。
【００４８】
請求項４０記載の発明の衣類は、人体に対して装着可能で、所定の環境情報取得場所の環境情報を環境情報取得手段で取得し、当該環境情報取得手段の取得した環境情報を、前記人体の近傍の環境情報再生場所で刺激手段によって再生する環境情報取得再生システムを備えた衣類であって、前記環境情報取得再生システムとして、請求項１から請求項３７のいずれかに記載の環境情報再生システムを備えていることにより、上記目的を達成している。
【００４９】
請求項４１記載の発明の遠隔操作システムは、操作者が操作することで、遠隔地の操作対象物を操作するとともに、当該操作対象物近傍を環境情報取得場所として当該環境情報取得場所の環境情報を環境情報取得手段で取得し、当該環境情報取得手段の取得した環境情報を、前記操作者の近傍の環境情報再生場所で刺激手段によって再生する環境情報取得再生システムを備えた遠隔操作システムであって、前記環境情報取得再生システムとして、請求項１から請求項３７のいずれかに記載の環境情報再生システムを備えていることにより、上記目的を達成している。
【発明の効果】
【００５０】
本発明の環境情報取得再生システムによれば、環境情報取得手段で取得した環境情報取得場所の環境情報のうち少なくとも１つの環境情報を、環境情報取得場所とは異なる環境情報再生場所または環境情報取得場所と略同じ場所である環境情報再生場所で刺激手段によって人体に対して与える触覚刺激として再生しているので、観測者が集中すべき作業を妨げず、集中すべき作業に必要な情報を補う環境情報の伝達を適切かつ確実に行うことができる。
【００５１】
また、本発明のテレビ会議システムによれば、複数のテレビ会議場で映像と音声を双方向にやりとりして出席者同士の会議を行うテレビ会議システムに、各テレビ会議場を、環境情報取得場所として当該テレビ会議場の環境情報を環境情報取得手段で取得して他のテレビ会議場に伝達するとともに、他のテレビ会場場で取得されて伝達されてくる環境情報を刺激手段によって人体に対して与える触覚刺激として再生しているので、テレビ会議の相手方の状況や雰囲気を適切に伝えることができ、会議の臨場感を増して会議への意識をより一層集中させることができる。
【００５２】
さらに、本発明の乗り物によれば、人体が搭乗する乗り物の所定の環境情報取得場所の環境情報を環境情報取得手段で取得し、当該環境情報取得手段の取得した環境情報を、人体の近傍の環境情報再生場所で刺激手段によって人体に対して与える触覚刺激として再生しているので、乗り物の周囲の状況を適切かつ容易に判断でき、死角を補うことができる。
【００５３】
また、本発明の衣類によれば、人体に対して装着可能な衣類に、所定の環境情報取得場所の環境情報を環境情報取得手段で取得し、当該環境情報取得手段の取得した環境情報を、人体の近傍で人体に対して与える触覚刺激として再生する刺激手段を配置しているので、人の周囲の状況を適切かつ容易に判断でき、死角を補うことができる。
【００５４】
さらに、本発明の遠隔操作システムによれば、操作対象物近傍を環境情報取得場所として当該環境情報取得場所の環境情報を環境情報取得手段で取得し、当該環境情報取得手段の取得した環境情報を、操作者の近傍の環境情報再生場所で刺激手段によって人体に対して与える触覚刺激として再生しているので、操作対象物の周囲の周囲の状況を適切かつ容易に判断でき、操作対象物を危険な状況から回避させることができる。
【発明を実施するための最良の形態】
【００５５】
以下、本発明の好適な実施例を添付図面に基づいて詳細に説明する。なお、以下に述べる実施例は、本発明の好適な実施例であるから、技術的に好ましい種々の限定が付されているが、本発明の範囲は、以下の説明において特に本発明を限定する旨の記載がない限り、これらの態様に限られるものではない。
【実施例１】
【００５６】
図１及び図２は、本発明の環境情報取得再生システム、テレビ会議システム、乗り物、衣類及び遠隔操作システムの第１実施例を示す図であり、図１は、本発明の環境情報取得再生システム、テレビ会議システム、乗り物、衣類及び遠隔操作システムの第１実施例を適用した環境情報取得再生システム１のブロック構成図である。
【００５７】
図１において、環境情報取得再生システム１は、環境情報取得場所１０と環境情報再生場所２０とがあり、環境情報取得場所１０と環境情報再生場所２０とは、例えば、所定の距離離れた場所に設置されている。
【００５８】
環境情報取得再生システム１は、環境情報として、映像、音声、超音波、温度、湿度、風速、風向、加速度、重力加速度、磁界、電界、赤外光（赤外線）、紫外光（紫外線）、振動、勾配、高度・緯度経度等の位置、圧力、気圧、イオン濃度、分子濃度、匂い等を取り扱う。
【００５９】
環境情報取得場所１０には、１つ以上の計測部（環境情報取得手段）１１と伝送部１２が設置されており、環境情報再生場所２０には、受信部２１と１つ以上の刺激部（刺激手段）２２が設置されている。
【００６０】
計測部１１は、環境情報を取得して伝送部１２に環境情報信号として出力し、伝送部１２は、計測部１１からの環境情報信号を環境情報再生場所２０の受信部２１に伝送する。
【００６１】
計測部１１は、環境情報が、映像の場合、例えば、カメラが用いられ、カメラは、撮像素子により映像を電気信号に変換して映像信号（環境情報信号）として伝送部１２に出力する。伝送部１２は、計測部１１としてのカメラからの映像信号を、例えば、トランスミッタにより変調して電波信号とし、環境情報再生場所２０の受信部２１に伝送（送信）する。
【００６２】
環境情報再生場所２０の受信部２１は、環境情報取得場所１０の伝送部１２からの環境情報信号を受信し、受信した環境情報信号を所定の信号形態に変換して各刺激部２２に出力する。刺激部２２は、受信部２１からの環境情報に基づいて刺激を再生する。
【００６３】
受信部２１は、伝送部１２が電波で環境情報として映像信号を送信してくると、当該電波を受信して映像信号を復元し、復元した映像信号を液晶テレビ等のモニタに送って映像として再現させるとともに、映像信号を刺激部２２に送る。
【００６４】
刺激部２２は、図２に示すように、刺激の受信者（人体）３０の近傍に配置され、例えば、机、椅子、ディスプレイ、部屋の壁面、床、天井、部屋を区切るパーティション、照明具、空調機、コンピュータのキーボード、マウス等の操作器具、筆記具、靴、服、手袋、マスク、ヘルメット、眼鏡、指輪等の装飾品等と一緒に配置されることで、受信者３０の近傍に配置される。また、刺激部２２は、図２に示すように、受信者３０の体の異なる部位を刺激するように配置される。
【００６５】
刺激部２２は、例えば、環境情報信号が映像信号の場合、内蔵する刺激変換機能部で、映像信号から刺激信号に変換して、当該刺激信号に基づいて受信者３０に刺激を与える。刺激部２２は、映像信号を刺激信号に変換する方法として、映像から物体を認識したり、映像の輪郭を抽出したり、輝度信号分布を抽出したり、色信号を抽出する等の方法を用いる。
【００６６】
例えば、刺激部２２は、映像信号の水平走査信号の輝度信号を映像右側と映像左側に分け、左側の輝度信号の強弱を第一の刺激部２２の強弱と、右側の輝度信号の強弱を第二の刺激部２２の強弱として刺激信号を抽出する。
【００６７】
例えば、刺激部２２は、映像信号の水平走査信号の輝度信号を映像右側と映像左側に分け、左側の輝度信号の強弱を第一の刺激部２２の強弱と、右側の輝度信号の強弱を第二の刺激部２２の強弱として刺激信号を抽出する。各刺激部２２は、抽出した刺激信号により刺激を再生する。
【００６８】
この刺激部２２は、例えば、帯電体を帯電させることにより、刺激を与える。すなわち、刺激部２２は、帯電体に高電圧をかけ、帯電体の電荷により、衣服あるいは体毛等に誘導電荷を生じさせて、受信者３０の皮膚に刺激を伝える。刺激部２２は、環境情報に関連付けて、帯電量の多少を調整して刺激の強弱を調整したり、帯電量を周期的に変化させたりして、刺激の周期と刺激の強弱を調整する。
【００６９】
なお、上記説明では、刺激部２２が、映像信号から刺激信号に変換する刺激変換機能部を内蔵している場合について説明したが、刺激変換機能部は、受信部２１に内蔵されていてもよいし、受信部２１と刺激部２２の間に独立して配設されていてもよい。
【００７０】
次に、本実施例の作用を説明する。本実施例の環境情報取得再生システム１は、環境情報取得場所１０の計測部１１で取得した環境情報を、環境情報再生場所２０の刺激部２２によって再生して、受信者３０の人体に触覚刺激として与える。
【００７１】
すなわち、環境情報取得再生システム１は、環境情報取得場所１０の計測部１１で、映像、音声、超音波、温度、湿度、風速、風向、加速度、重力加速度、磁界、電界、赤外光、紫外光、振動、勾配、高度・緯度経度等の位置、圧力、気圧、イオン濃度、分子濃度、匂い等の環境情報を取得して伝送部１２に出力する。例えば、環境情報取得再生システム１は、計測部１１としてカメラが用いられていると、環境情報として環境情報取得場所１０の映像を撮影して映像信号を環境情報信号として伝送部１２に出力し、伝送部１２は、計測部１１からの環境情報信号を環境情報再生場所２０の受信部２１に伝送する。
【００７２】
受信部２１は、伝送部１２からの環境情報信号を受信して、当該環境情報信号が映像信号であると、当該映像信号を復元し、復元した映像信号を液晶テレビ等のモニタに送って映像として再現させるとともに、映像信号を刺激部２２に送る。
【００７３】
刺激部２２は、受信者３０の近傍に、例えば、図２に示すように、受信者３０の体の異なる部位を刺激するように配置され、内蔵する刺激変換機能部で、環境情報信号、例えば、映像信号を刺激信号に変換して、当該刺激信号に基づいて受信者３０に刺激を与える。例えば、刺激部２２は、環境情報信号が映像信号の場合、映像信号の水平走査信号の輝度信号を映像右側と映像左側に分け、左側の輝度信号の強弱を第一の刺激部２２の強弱と、右側の輝度信号の強弱を第二の刺激部２２の強弱として刺激信号を抽出して、抽出した刺激信号により刺激を再生する。
【００７４】
刺激部２２は、例えば、帯電体を帯電させることにより、刺激を与える。すなわち、刺激部２２は、帯電体に高電圧をかけ、帯電体の電荷により、衣服あるいは体毛等に誘導電荷を生じさせて、受信者３０の皮膚に刺激を伝える。刺激部２２は、環境情報に関連付けて、帯電量の多少を調整して刺激の強弱を調整したり、帯電量を周期的に変化させたりして、刺激の周期と刺激の強弱を調整する。
【００７５】
このように、本実施例の環境情報取得再生システム１は、計測部１１で取得した環境情報取得場所１０の環境情報のうち少なくとも１つの環境情報を、環境情報再生場所２０で刺激部２２によって受信者３０の人体に対して与える触覚刺激として再生して付与している。
【００７６】
したがって、観測者である受信者３０が集中すべき作業を妨げず、集中すべき作業に必要な情報を補う環境情報の伝達を適切かつ確実に行うことができる。
【００７７】
また、本実施例の環境情報取得再生システム１は、刺激部２２で、環境情報に関連付けて、帯電量の多少を調整する等の方法で触覚刺激の強弱を調整したり、刺激の周期を変化させている。
【００７８】
したがって、単調な刺激の慣れにより感じなくなる不感を防止することができ、また、環境情報の変化を伝えることができる。
【００７９】
そして、複数の刺激部２２、例えば、第一の刺激部２２と第二の刺激部２２を、図２に示したように、受信者３０の体の異なる部位を刺激するように配置すると、刺激の場所により映像の右と左のどちらに物体があるか等を伝えることができる。
【００８０】
このようにすると、環境情報の種類を増やすことができ、障害物の位置等の環境情報に方向が含まれている場合に、当該方向を知らせることができる。
【００８１】
なお、上記説明では、環境情報取得場所１０に計測部１１と伝送部１２が配置されているが、環境情報取得場所１０は、必ずしも計測部１１と伝送部１２が配置されている必要はなく、例えば、予め計測部で計測された環境情報を記憶装置に環境情報信号として記憶し、環境情報再生場所２０で、その記憶装置に記憶されている環境情報信号に基づいて、刺激として再生してもよいし、コンピュータシミュレーションや仮想的に生成された環境情報を再生してもよい。
【００８２】
また、上記説明では、刺激部２２は、帯電体を帯電させる帯電方法で刺激を再生しているが、刺激の再生方法としては、帯電方法に限るものではなく、例えば、音圧を用いても良い。すなわち、人間の可聴周波数範囲は２０Ｈｚから２０ｋＨｚといわれており、２０Ｈｚより低い音は振動として人体に伝わるため、２０Ｈｚよりも低い周波数の音を利用して刺激を与えてもよいし、また、音の当たった衣服や物体を振動させることでも人体へ刺激を与えることができる。この場合、刺激部２２による刺激の強弱を、音圧・音量の強弱に対応させて、行うことができ、また、上記同様に、音圧による複数の刺激部２２を人体の別の部位を刺激するように配置して、刺激の場所により映像等の右と左のどちらに物体があるか等を伝えるようにしてもよい。また、少なくとも２つの音圧による刺激部２２を用意し、その２つの刺激部２２の音源の干渉を用いて刺激する部位を変えても良いし、２つの刺激部２２の音源の位相を変えることで、干渉パターンを変化させてもよい。また、刺激部２２による刺激の強弱を、刺激部位の多少に対応させても良い。
【００８３】
このように、音圧を用いると、安価な構成で、人体に対してより一層安全な状態でかつ非接触で触覚刺激を与えることができる。また、音圧刺激の位相を刺激部２２間で変えることで、音圧の干渉パターンによって刺激部位を変更することができ、少ない刺激部２２で任意の部位を刺激することができる。
【００８４】
さらに、刺激部２２の刺激の再生方法としては、熱源を用いても良く、熱源としては、電熱線やハロゲンランプ等の光を用いることができる。この場合、例えば、熱源による刺激部２２の熱源として、可視波長を出さない遠赤外線を用いると、視覚では感じさせないで、熱刺激だけで環境情報を伝えることができる。また、刺激部２２として、直接的な熱伝導によるものではなく、ランプや遠赤外線等の人体の皮膚や衣服等で光熱変換するものを用いると、刺激部２２を人体からより一層離して設置することができ、刺激部２２の配置の自由度を高くすることができるとともに、人の行動の自由度も向上させることができる。さらに、刺激部２２の刺激の強弱を、熱の強弱に対応させ、また、熱源を用いた複数の刺激部２２を用い、それぞれ人体の別の部位を刺激するように配置してもよい。さらに、刺激部２２による刺激の強弱を刺激部位の多少に対応させても良い。このようにすると、刺激部位を変更するのに機械的動作を必要とせず、電気的な動作だけで対応することができ、刺激部２２の構成を簡単にすることができるとともに、耐久性を向上させることができる。
【００８５】
また、刺激部２２の刺激の再生方法としては、流体の流れを用いても良く、流体の流れを発生させる方法としては、例えば、扇風機、圧縮空気をノズルで吐き出す方法、高電圧のかかる２電極間に発生する電気流体力学による流れの発生を用いる方法、絶縁体である流体中に放電しない程度の高電界をかけることで流体に流れを生じさせる方法等を用いることができる。刺激部２２として流体の流れを利用するものを用いると、より安全な状態でかつ非接触で触覚刺激を与えることができる。そして、流体の流れを用いた刺激部２２による刺激では、流体の流れによる刺激と電界による刺激を併用してもよい。さらに、刺激部２２の刺激の強弱を、流体の流れの強弱に対応させ、また、流体の流れを用いた複数の刺激部２２を用い、それぞれ人体の別の部位を刺激するように配置してもよい。さらに、刺激部２２による刺激の強弱を刺激部位の多少に対応させても良い。
【実施例２】
【００８６】
図３は、本発明の環境情報取得再生システム、テレビ会議システム、乗り物、衣類及び遠隔操作システムの第２実施例を適用した環境情報取得再生システム４０のブロック構成図である。
【００８７】
図３において、環境情報取得再生システム４０は、環境情報取得場所５０と環境情報再生場所６０とがあり、環境情報取得場所５０と環境情報再生場所６０とは、同一の場所、例えば、環境情報取得場所５０が、移動体である乗り物の周辺（外側の場所）であり、環境情報再生場所６０が、乗り物の内部（内側の場所）である。
【００８８】
環境情報取得場所５０には、複数の計測部（環境情報取得手段）５１が配設されており、環境情報再生場所６０には、受信部６１と刺激部（刺激手段）６２が配設されている。
【００８９】
環境情報取得場所５０の各計測部５１は、環境情報を取得して、所定の信号形式の環境情報信号として環境情報再生場所６０の受信部６１に出力する。
【００９０】
環境情報再生場所６０の受信部６１は、環境情報取得場所５０の各計測部５１から送られてきた環境情報信号を所定の信号形態に変換して各刺激部６２に出力する。刺激部６２は、受信部６１からの環境情報信号に基づいて刺激を再生する。
【００９１】
なお、上記説明では、環境情報取得再生システム４０は、環境情報取得場所５０と環境情報再生場所６０とが同一の場所であり、環境情報取得場所５０に計測部５１の取得した環境情報を環境情報再生場所６の受信部６１に直接出力することができるため、環境情報取得場所５０から伝送部を省いているが、伝送部を環境情報取得場所１０に設けて、計測部５１の取得した環境情報を所定の信号形式に変換して環境情報再生場所６の受信部６１に送信してもよい。
【００９２】
そして、環境情報取得再生システム４０は、例えば、環境情報取得場所５０としての乗り物が自動車の場合、自動車の周辺の状況を計測部５１により環境情報として計測し、計測部５１の計測した環境情報を運転者へ触覚刺激として伝える。この場合、計測部５１としては、例えば、障害物を検知する超音波反射によるレーダ、電波反射によるレーダ、風速、風向、外気温センサー、車外の状態を映すカメラ等を用いる。刺激部６２としては、例えば、運転者用の座席に取り付けられ、刺激が衣服などで遮られないために、電界を用いて刺激する刺激部６２や流体を利用して刺激する刺激部６２の場合、皮膚の露出している場所の近くに配置されることが望ましく、例えば、人体の首や顔の部分は衣服が少なく皮膚が露出している場合が多く、好ましい配置位置となる。この場合、座席のヘッドレスト近辺や運転者の頭上周辺は、刺激部６２の配置場所として好適である。また、刺激部６２の配置場所としては、ハンドル近辺が、手も皮膚が露出している場合が多く、好適である。さらに、運転者がヘルメット・手袋を被るような場合には、ヘルメットや手袋に刺激部６２を配置してもよい。また、レーダで検知された障害物の方向に基づいて、刺激部６２で運転者に与える刺激部位を変えてもよく、この場合、障害物の方向と運転者への刺激がほぼ同一方向になるようにすると、運転者に対して危険の方向を適切に知らせることができる。また、刺激部６の与える刺激の強さを、障害物との距離に応じて変えてもよく、この場合、例えば、障害物の距離が近いと刺激も強くなるようにする。
【００９３】
また、環境情報取得再生システム４０は、環境情報取得場所５０と環境情報再生場所６０とが離れていれば、遠隔操作に適用することができる。例えば、環境情報取得場所５０に遠隔操作ロボットを位置させて、遠隔操作ロボットに環境情報取得場所５０の環境情報を取得させ、環境情報再生場所６０の操縦者または観察者に刺激部６２で触覚刺激を与える。
【００９４】
さらに、環境情報取得再生システム４０は、環境情報取得場所５０の環境情報が、予め記憶装置に記憶された環境情報であったり、コンピュータにより仮想的に計算された環境情報であってもよく、この場合、仮想現実を作製するシミュレーションに応用することができ、作業訓練等に対してより一層現実感を与えることができる。
【００９５】
本実施例の環境情報取得再生システム４０は、自動車に限らず、船舶、航空機、列車、宇宙船等の移動体、作業服、潜水服、宇宙服等の衣類及び遠隔操作ロボット等に適用することができる。
【００９６】
そして、環境情報取得再生システム４０は、環境情報取得場所５０で取得する環境情報が、その場所の映像、音声、温度、湿度、風速、風向、気圧、移動体の加速度情報、移動体の速度情報、経度・緯度・高度など位置、勾配、磁界、電界、電磁波、超音波、赤外線、紫外線、振動、超低周波音、重力加速度、圧力、分子濃度、イオン濃度など操縦に必要な情報や観察、監視、または、警戒したい情報であり、環境情報再生場所６０で、これらの環境情報のうち任意に取得した環境情報を触覚刺激として伝える。この場合、環境情報取得場所５０の周辺の障害物を検知し、その位置を環境情報としてもよい。例えば、自動車、船舶等では障害物の情報を触覚刺激として伝えることで、操縦への意思の集中を妨げることなく、視覚で認知できない死角方向の情報を伝えることができる。
【００９７】
また、環境情報取得再生システム４０は、気圧、風速、風向、遠方の映像、雲の映像等を環境情報取得場所５０で取得して、環境情報再生場所６０に伝送し、これらの環境情報に基づいて天候予測をして、天候悪化の可能性を知らせる場合にも適用することができる。
【００９８】
さらに、環境情報取得再生システム４０は、生物に危険な環境での作業に適用することができ、この場合、作業への集中を乱すことなく、周囲の状況を伝えることができる。例えば、宇宙空間を環境情報取得場所５０として、当該環境情報取得場所５０の周囲の放射線強度、飛来する障害物等の環境情報を取得して、環境情報再生場所６０に伝達して触覚刺激として与えるのに適用することができ、深海作業の場合は、超音波ソナー等による障害物情報や水温、水圧情報、潮流等を環境情報として計測部５１で所得して、触覚刺激として利用することができる。さらに、災害現場の救助ロボット等に適用することができ、この場合、周囲の温度、有害物質の分子濃度、放射線濃度、金属反応、人体温度の検知情報、微小な振動や音の情報等を環境情報として採用する。
【実施例３】
【００９９】
図４は、本発明の環境情報取得再生システム、テレビ会議システム、乗り物、衣類及び遠隔操作システムの第３実施例を適用したテレビ会議システム７０のテレビ会議場７１の概略斜視図である。
【０１００】
図４において、テレビ会議システム７０は、複数のテレビ会議場７１がそれぞれ遠隔の地に設定され、これらのテレビ会議場７１が、それぞれ環境情報取得場所となるとともに環境情報再生場所となる。
【０１０１】
図４において、テレビ会議場７１には、会議の出席者８０が容易に視認できる位置に、会議相手のテレビ会議場７１の様子をカメラで撮影した映像を映し出すモニタ７２が配置され、出席者８０の周囲には、パーティション７３等が設置されていて、出席者８０は、モニタ７２とパーティション７３で囲まれた状態となっている。モニタ７２及びパーティション７３には、出席者各人に触覚刺激を与える刺激部７４が配置されている。なお、図４では、刺激部７４がモニタ７２とパーティション部分にのみ配置されている状態を示しているが、刺激部７４の配置位置は、これらに限るものではなく、例えば、壁面、床面、天井等に配置してもよい。
【０１０２】
テレビ会議場７１には、図示しないが、当該テレビ会議場７１の様子を撮影するカメラ及び会議での意見等の音声やその他の音を収集するマイクが設けられているとともに、テレビ会議場７１の環境情報を取得する計測部と当該計測部の取得した環境情報を所定の信号形態で相手先のテレビ会議場７１に伝送する伝送部が設定され、さらに、相手テレビ会場７１から送られてきた環境情報信号を受信して刺激部７４に出力する受信部が設置されている。
【０１０３】
そして、一般のテレビ会議システムでは、映像と音声を中心に交流を図るが、これらの情報だけでは、臨場感等が不足する。
【０１０４】
そこで、本実施例のテレビ会議システム７０では、会議への意識の集中をより増進させるために、相手側のテレビ会議場７１の状況を気配（環境情報）として触覚刺激によって再現する。この気配とは、相手側のテレビ会議場７１の空気の流れ、匂い、人の位置等を視覚と聴覚以外の方法で伝達することをいう。
【０１０５】
そこで、本実施例のテレビ会議システム７０では、相手側のテレビ会議場７１の人の体温、動作による空気の揺らぎ、冷やの状況等を環境情報として計測部（環境情報取得手段）で計測して伝送部から相手方のテレビ会議場７１に伝送し、相手方のテレビ会議場７１の受信部で当該環境情報を受信して、刺激部７２で触覚刺激として再生して出席者８０に刺激を付与する。
【０１０６】
そして、テレビ会議場７１の計測部は、例えば、空気の揺らぎを検知する流速センサを用いることができ、また、この流速センサが特定の方向の流れを検知する機能を有していると、空気の流れの向き検知することができる。そして、テレビ会議システム７０では、計測部として流速センサを用いると、この流速センサの検知情報を基づいて、空気の流れを相手のテレビ会議場７１の刺激部７４で再現するが、この場合、単に再現するだけでなく、風量を増幅あるいは減衰させて再現することで、空気の揺らぎの刺激量を調整する。また、空気の流れを単に空気の流れとして再現するだけでなく、他の触覚刺激に変換して再現してもよい。
【０１０７】
また、テレビ会議場７１の計測部としては、例えば、匂いを検知する匂いセンサを用いることができ、匂いセンサは、例えば、空気中の分子の吸着や熱伝導変化を電気特性として検知する。また、匂いセンサを計測部として用いる場合、検出する匂い成分の異なる匂いセンサを種類毎に使用してもよい。そして、テレビ会議システム７０では、計測部として匂いセンサを用いると、この匂いセンサの検知情報を基づいて、匂いの強さや種類を相手のテレビ会議場７１の刺激部７４で触覚刺激として再現する。この場合、単に再現するだけでなく、例えば、有害な匂いが検知されると、より強い刺激を与えたり、人体のより敏感な部位へ刺激を与えるようにしてもよい。
【０１０８】
このように、本実施例のテレビ会議システム７０は、各テレビ会議場７１を、環境情報取得場所として当該テレビ会議場７１の環境情報を計測部で取得して他のテレビ会議場７１に伝達するとともに、他のテレビ会場場で取得されて伝達されてくる環境情報を繁く部７２によって出席者８０の人体に対して与える触覚刺激として再生している。
【０１０９】
したがって、テレビ会議の相手方の状況や雰囲気を適切に伝えることができ、会議の臨場感を増して会議への意識をより一層集中させることができる。
【０１１０】
そして、上記各実施例において、触覚刺激を与える部位を環境情報に関連付けて変えることで、環境情報の種類を増やすことができ、障害物の位置等の環境情報に方向が含まれる場合、その方向を知らせることができる。
【０１１１】
また、非接触で人体に触覚刺激を与えると、刺激部やケーブルを人体に取り付ける必要が無く、人の行動の自由度を増大させることができる。
【０１１２】
さらに、上記各実施例において、触覚刺激を与える環境情報として、映像情報を含ませるているので、映像情報には多くの情報が含まれているのにも関わらず、人はその中の一部にしか意識を集中させることしかできないが、このような意識されない映像情報を触覚刺激として与えることで、意識を集中させるべき他の場所があることを、集中を乱すことなく伝えることができる。
【０１１３】
また、触覚刺激を与える環境情報として、音情報を含ませているので、例えば、災害救助や打診による調査等において重要な音の変化を触覚刺激として与えることができる。
【０１１４】
さらに、触覚刺激を与える環境情報として、温度情報を含ませているので、例えば、環境情報取得場所での気温やエンジンオイル等の機械の動作温度を伝えることができる。
【０１１５】
また、触覚刺激を与える環境情報として、湿度情報を含ませているので、環境情報取得場所の結露による機械の不具合や保存倉庫における空調異常等を伝えることができる。
【０１１６】
さらに、触覚刺激を与える環境情報として、風速情報を含ませているので、環境情報取得場所での大気状況や移動体の速度を伝えることができる。
【０１１７】
また、触覚刺激を与える環境情報として、風向情報を含ませているので、環境情報取得場所での風向を知ることができる。
【０１１８】
さらに、触覚刺激を与える環境情報として、加速度情報を含ませているので、環境情報取得場所での加速度を伝えることができる。
【０１１９】
また、触覚刺激を与える環境情報として、重力加速度情報を含ませているので、環境情報取得場所での重力加速度を知ることができ、例えば、移動体の姿勢を伝えることができる。
【０１２０】
さらに、触覚刺激を与える環境情報として、磁界情報を含ませているので、環境情報取得場所での磁界を伝えることができる。
【０１２１】
また、触覚刺激を与える環境情報として、電界情報を含ませているので、環境情報取得場所での電界を伝えることができる。
【０１２２】
さらに、触覚刺激を与える環境情報として、電磁波情報を含ませているので、環境情報取得場所での電磁波の状況を伝えることができる。
【０１２３】
また、触覚刺激を与える環境情報として、赤外線情報を含ませているので、環境情報取得場所での赤外線の状況を伝えることができる。
【０１２４】
さらに、触覚刺激を与える環境情報として、紫外線情報を含ませているので、環境情報取得場所での紫外線の状況を伝えることができる。
【０１２５】
また、触覚刺激を与える環境情報として、振動情報を含ませているので、環境情報取得場所での振動の状況を伝えることができる。
【０１２６】
さらに、触覚刺激を与える環境情報として、勾配情報を含ませているので、環境情報取得場所での勾配の状況を伝えることができる。
【０１２７】
また、触覚刺激を与える環境情報として、高度情報を含ませているので、環境情報取得場所での高度を伝えることができる。
【０１２８】
さらに、触覚刺激を与える環境情報として、圧力情報を含ませているので、環境情報取得場所での圧力の状況を伝えることができる。
【０１２９】
また、触覚刺激を与える環境情報として、気圧情報を含ませているので、環境情報取得場所での気圧の状況を伝えることができる。
【０１３０】
さらに、触覚刺激を与える環境情報として、位置情報を含ませているので、環境情報取得場所での位置を伝えることができる。
【０１３１】
また、触覚刺激を与える環境情報として、イオン濃度情報を含ませているので、環境情報取得場所でのイオン濃度を伝えることができる。
【０１３２】
さらに、触覚刺激を与える環境情報として、分子濃度情報を含ませているので、環境情報取得場所での分子濃度を伝えることができる。
【０１３３】
また、触覚刺激を与える環境情報として、超音波情報を含ませているので、環境情報取得場所での超音波の状況を伝えることができる。
【０１３４】
さらに、触覚刺激を与える環境情報として、超低周波音情報を含ませているので、環境情報取得場所での超低周波の状況を伝えることができる。
【０１３５】
また、触覚刺激を与える環境情報として、放射線強度情報を含ませているので、環境情報取得場所での放射線の状況を伝えることができる。
【０１３６】
以上、本発明者によってなされた発明を好適な実施例に基づき具体的に説明したが、本発明は上記のものに限定されるものではなく、その要旨を逸脱しない範囲で種々変更可能であることはいうまでもない。
【産業上の利用可能性】
【０１３７】
本発明は、離れた場所や隔離された場所の環境情報及び同一場所の情報を伝達して触覚刺激として再生する環境情報取得再生システム、この環境情報取得再生システムを利用したテレビ会議システム、乗り物、衣類及び遠隔操作システムに適用することができる。
【図面の簡単な説明】
【０１３８】
【図１】本発明の環境情報取得再生システム、テレビ会議システム、乗り物、衣類及び遠隔操作システムの第１実施例を適用した環境情報取得再生システムのブロック構成図。
【図２】図１の環境情報再生場所の刺激部の配置の一例を示す図。
【図３】本発明の環境情報取得再生システム、テレビ会議システム、乗り物、衣類及び遠隔操作システムの第２実施例を適用した環境情報取得再生システムのブロック構成図。
【図４】本発明の環境情報取得再生システム、テレビ会議システム、乗り物、衣類及び遠隔操作システムの第３実施例を適用したテレビ会議システムのテレビ会議場の概略斜視図。
【符号の説明】
【０１３９】
１  環境情報取得再生システム
１０  環境情報取得場所
１１  計測部
１２  伝送部
２０  環境情報再生場所
２１  受信部
２２  刺激部
３０  受信者
４０  環境情報取得再生システム
５０  環境情報取得場所
５１  計測部
６０  環境情報再生場所
６１  受信部
６２  刺激部
７０  テレビ会議システム
７１  テレビ会議場
７２  モニタ
７３  パーティション
７４  刺激部
８０  出席者
【図１】
2006191460.tif 000003
【図２】
2006191460.tif 000004
【図３】
2006191460.tif 000005
【図４】
2006191460.tif 000006